(57)【要約】【課題】  低周波電流パルスの程度を正確に調整し得る低周波治療器の提供。【解決手段】  ユーザが操作ダイヤル３１を軸体３３回りに回転させると、その回転量に応じて低周波発生部によりアナログ調整された低周波電流パルスとして、制御部から出力され、操作ダイヤル３１の回転位置に応じた強さの低周波電流パルスが電極パッドに出力され、しかも、係止手段４９によって、操作ダイヤル３１の回転位置が保持されることで、必要な強さの低周波電流パルスを電極パッドに正確に出力することができる。【選択図】  図３
2019080712.tif 000002
【特許請求の範囲】
【請求項１】
低周波電流パルスを発生させ得る低周波発生部を有した治療器本体と、該治療器本体に一端が接続される導子コードと、導子コードの他端に接続される電極パッドとを備え、
前記治療器本体は、一方向または他方向に移動することで、前記低周波発生部から発生させる低周波電流パルスの程度を調整するよう操作される被操作体と、前記被操作体の移動位置が複数位置において間欠的に位置決めされるよう、前記被操作体に係止する係止手段とを備えたことを特徴とする低周波治療器。
【請求項２】
低周波電流パルスを発生させ得る低周波発生部を有した治療器本体と、該治療器本体に一端が接続される導子コードと、導子コードの他端に接続される電極パッドとを備え、
前記治療器本体は、支軸回りに一方向または他方向に回転することで、前記低周波発生部から発生させる低周波電流パルスの程度を調整するよう操作される被操作体と、前記支軸回りにおける前記被操作体の回転位置が複数位置において間欠的に位置決めされるよう、前記被操作体に係止する係止手段とを備えたことを特徴とする低周波治療器。
【請求項３】
前記低周波発生部は、前記被操作体の回転量に応じたアナログ調整により低周波電流パルスを出力させるよう構成され、
前記低周波発生部から出力させる低周波電流パルスを制御する制御部を備え、
該制御部は、前記低周波発生部から出力させる低周波電流パルスの程度を、前記支軸回りにおける前記被操作体の回転位置に応じた程度とするよう制御する請求項２に記載の低周波治療器。
【請求項４】
前記被操作体は、前記治療器本体の駆動オフ位置と、前記治療器本体の駆動がオンされ且つ前記低周波発生部から低周波電流パルスを未発生とするスタンバイ位置に切替え可能とされ、該スタンバイ位置は、前記駆動オフ位置と前記回転位置のうち最も弱い程度の低周波電流パルスが出力される回転位置との間の回転位置であり、
該スタンバイ位置と、前記回転位置のうち最も弱い程度の低周波電流パルスが出力される回転位置との間の前記被操作体の回転量が、前記回転位置のうち最も弱い程度の低周波電流パルスが出力される回転位置と、前記回転位置のうち次に弱い程度の低周波電流パルスが出力される回転位置との間の回転量に比べて大きいか、または小さく設定されている請求項２または請求項３に記載の低周波治療器。
【請求項５】
前記低周波発生部は、前記被操作体の移動又は回転量に応じて抵抗値が変化する可変抵抗器から出力されるアナログ信号をデジタル信号に変換し、前記低周波発生部から出力させる低周波電流パルスの程度を、該デジタル信号に応じた程度とするよう制御する請求項１または請求項２に記載の低周波治療器。
【発明の詳細な説明】
【技術分野】
【０００１】
本発明は、電極パッドを介して身体に低周波パルスを印加することで身体の施療を行う低周波治療器に関する。
【背景技術】
【０００２】
この種の低周波治療器が、下記特許文献１に提案されている。特許文献１に記載の低周波治療器は、低周波電流パルスを発生させ得る治療器本体と、治療器本体に一端が接続される導子コードと、導子コードの他端に接続される電極パッドとを備えている。電極パッドはその一面側に、身体表面の施療部位に貼付けられる導電性粘着層を備える。
【０００３】
低周波治療器では、導子コードに電極パッドを取付けた状態で、電極パッドを身体表面の施療部位に貼付け、治療器本体を操作することで、導子コード、電極パッドを介して施療部位に低周波電流パルスが供給されて（治療電流が流されて）、施療される。
【０００４】
治療器本体は、電源のオン/オフを切替えるための電源操作部、低周波電流パルスの程度（治療電流の大きさ）を調整して設定するための調整部を備える。また、治療器本体は、低周波治療器の現在の動作状態を表示する表示部を備える。
【先行技術文献】
【特許文献】
【０００５】
【特許文献１】特開２００９−１６０３２８号公報
【発明の概要】
【発明が解決しようとする課題】
【０００６】
この低周波治療器では、低周波電流パルスの程度の調整は、表示部に表示される現在の動作状態をユーザが目視確認したうえで、調整部を手指で押圧操作して行う。
【０００７】
ところで、この低周波治療器のように、表示部を目視確認したうえで操作するものであると、ユーザが低周波電流パルスの程度を調整する際に、その都度表示部を確認する必要がある。また、調整部が単純なダイヤルであると、暗所で調整する際に、低周波パルスを、不測な強さにまで到達させてしまう誤操作が懸念される。そうなると、身体に対する刺激が強すぎてしまう。
【０００８】
そこで本発明は、低周波電流パルスの程度を正確に調整し得る低周波治療器の提供を目的とする。
【課題を解決するための手段】
【０００９】
本発明の低周波治療器は、低周波電流パルスを発生させ得る低周波発生部を有した治療器本体と、該治療器本体に一端が接続される導子コードと、導子コードの他端に接続される電極パッドとを備え、前記治療器本体は、一方向または他方向に移動することで、前記低周波発生部から発生させる低周波電流パルスの程度を調整するよう操作される被操作体と、前記被操作体の移動位置が複数位置において間欠的に位置決めされるよう、前記被操作体に係止する係止手段とを備えたことを特徴としている。
【００１０】
上記構成を備える本発明の低周波治療器において、ユーザが、低周波電流パルスの程度を調整すべく被操作体を移動させる操作をすると、係止手段が被操作体の移動量に対応して被操作体に間欠的に係止することで、被操作体の移動位置が位置決めされるから、ユーザは、治療器本体の低周波発生部から正確に、所望の程度の低周波電流パルスを電極パッドに出力させられる。
【００１１】
本発明の低周波治療器は、低周波電流パルスを発生させ得る低周波発生部を有した治療器本体と、該治療器本体に一端が接続される導子コードと、導子コードの他端に接続される電極パッドとを備え、前記治療器本体は、支軸回りに一方向または他方向に回転することで、前記低周波発生部から発生させる低周波電流パルスの程度を調整するよう操作される被操作体と、前記支軸回りにおける前記被操作体の回転位置が複数位置において間欠的に位置決めされるよう、前記被操作体に係止する係止手段とを備えたことを特徴としている。
【００１２】
上記構成を備える本発明の低周波治療器において、ユーザが、低周波電流パルスの程度を調整すべく被操作体を支軸回りに回転させる操作をすると、係止手段が被操作体の回転量に対応して被操作体に間欠的に係止することで、被操作体の支軸回りの回転位置が位置決めされるから、ユーザは、治療器本体の低周波発生部から正確に、所望の程度の低周波電流パルスを電極パッドに出力させられる。
【００１３】
本発明の低周波治療器では、前記低周波発生部は、前記被操作体の回転量に応じたアナログ調整により低周波電流パルスを出力させるよう構成され、前記低周波発生部から出力させる低周波電流パルスを制御する制御部を備え、該制御部は、前記低周波発生部から出力させる低周波電流パルスの程度を、前記支軸回りにおける前記被操作体の回転位置に応じた程度とするよう制御する構成を採用できる。
【００１４】
上記構成を備える本発明の低周波治療器では、ユーザが、被操作体を一の間欠位置範囲内において回転させると、低周波発生部は、被操作体の回転量に応じたアナログ調整により低周波電流パルスを出力し、制御装置は、被操作体の回転量に応じた低周波電流パルスの程度を出力させるが、係止手段が被操作体の回転量に対応して被操作体に間欠的に係止することで、被操作体の支軸回りの回転位置が位置決めされるから、低周波電流パルスを電極パッドに段階的に出力させられる。
【００１５】
本発明の低周波治療器では、前記被操作体は、前記治療器本体の駆動オフ位置と、前記治療器本体の駆動がオンされ且つ前記低周波発生部から低周波電流パルスを未発生とするスタンバイ位置に切替え可能とされ、該スタンバイ位置は、前記駆動オフ位置と前記回転位置のうち最も弱い程度の低周波電流パルスが出力される回転位置との間の回転位置であり、該スタンバイ位置と、前記回転位置のうち最も弱い程度の低周波電流パルスが出力される回転位置との間の前記被操作体の回転量が、前記回転位置のうち最も弱い程度の低周波電流パルスが出力される回転位置と、前記回転位置のうち次に弱い程度の低周波電流パルスが出力される回転位置との間の回転量に比べて大きいか、または小さく設定された構成を採用できる。
【００１６】
上記構成を備える本発明の低周波治療器では、スタンバイ位置と、回転位置のうち最も弱い程度の低周波電流パルスが出力される回転位置との間の被操作体の回転量が、回転位置のうち最も弱い程度の低周波電流パルスが出力される回転位置と、回転位置のうち次に弱い程度の低周波電流パルスが出力される回転位置との間の回転量に比べて大きいか、または小さいから、被操作体をスタンバイ位置から回転させて低周波電流パルスが出力される回転位置まで回転させたことが、ユーザ自身に分かり易い。
【００１７】
本発明の低周波治療器では、前記低周波発生部は、前記被操作体の移動又は回転量に応じて抵抗値が変化する可変抵抗器から出力されるアナログ信号をデジタル信号に変換し、前記低周波発生部から出力させる低周波電流パルスの程度を、該デジタル信号に応じた程度とするよう制御する構成を採用できる。
【００１８】
上記構成を備える本発明の低周波治療器では、係止手段によって被操作体を固定することでデジタル判定を明確にでき、また、数十ボルトの電圧となる低周波電流パルスが可変抵抗器を経由しないため可変抵抗器を小さいものとすることができ、さらに、被操作体の移動又は回転量に対して低周波電流パルスの程度の増減や出力の有無を自由に設定できる。
【発明の効果】
【００１９】
本発明の低周波治療器によれば、低周波電流パルスの程度を正確に調整し得る。
【図面の簡単な説明】
【００２０】
【図１】本発明の一実施形態に係る低周波治療器の一方側からの斜視図である。
【図２】同他方側からの斜視図である。
【図３】同分解斜視図である。
【図４】同治療器本体の平面図である。
【図５】同図４におけるＸ−Ｘ線断面矢視図である。
【図６】同図４におけるＹ−Ｙ線断面矢視図である。
【図７】同図４におけるＺ−Ｚ線断面矢視図である。
【発明を実施するための形態】
【００２１】
以下、本発明の一実施形態に係る低周波治療器を、図面を参照しつつ説明する。図１および図２に示すように、本実施形態に係る低周波治療器１は、低周波電流パルスを発生させ得る治療器本体２と、パッド本体３の一面側に導電性粘着層を有する電極パッド（「粘着パッド」とも称する）であって、導電性粘着層が、使用者の身体表面の施療部位に貼付けられる電極パッド４とを備えている。
【００２２】
図３に示すように、治療器本体２は、ユーザが把持し易いよう楕円筒形に形成された外殻体５と、外殻体５に収納されて制御基板（制御部に相当する）６をビス止めにより装着する装着体７と、装着体７を外殻体５内の所定位置に固定するための固定具８と、外殻体５の一旦解放側を閉じる底壁９とを備える。なお、図２、図３に示すように、底壁９には、電極パッド４に接続された導子コード１０の先端に設けられたジャック１１が挿抜自在とされる、装着口１２が形成されている。また、底壁９には、ＵＳＢポート１３が設けられている。
【００２３】
図３に示すように、固定具８は平板状に形成され、装着体７の端面にビス止めされる。固定具８はその板面に複数のＬＥＤ１４を備え、ＬＥＤ１４が、外殻体５の天壁１５の裏面に嵌合するスリーブ１６を介して天壁１５に近接して配置される。ＬＥＤ１４は、後述する低周波使用ランプ２８、温熱使用ランプ２９、駆動ランプ３０に対応する位置に配置されている。なお、制御基板６に電気的に接続される蓄電池１７が、装着体７に装着される。
【００２４】
固定具８の板面の端部には、制御基板６に電気的に接続される低周波モード切替スイッチ２０と、温熱モードスイッチ２１とが並べて装着されている。制御基板６には、低周波電流パルスを発生させる低周波発生部と、発生させる低周波電流パルスを制御する制御部とが搭載されている。
【００２５】
外殻体５の天壁１５は、外殻体５の幅方向中心位置に配置された円弧状の段付面２２を介して、幅方向一方側に操作片装着部２３と、幅方向他方側に操作ダイヤル装着部２４とを備える。
【００２６】
操作片装着部２３は、低周波モード切替スイッチ２０、温熱モードスイッチ２１を押圧操作するためのモード操作片２５、温熱モードスイッチ２１（例えば、図７参照）を押圧操作するための温熱モード操作片２６を装着する部分である。操作片装着部２３には、モード操作片２５、温熱モード操作片２６を装着するための装着穴２７，２７が形成されている。
【００２７】
また、図４に示すように、操作片装着部２３は、モード操作片２５が押圧操作されることで低周波モード切替スイッチ２０が押圧されると点灯する低周波使用ランプ２８と、温熱モード操作片２６が押圧操作されることで温熱モードスイッチ２１が押圧されると点灯する温熱使用ランプ２９と、治療器本体２の駆動がオン状態において点灯する駆動ランプ３０とを備える。特に、駆動ランプ３０は、操作片装着部２３において、操作ダイヤル装着部２４寄りにあって、しかも外殻体５の厚み方向中心に形成されている。
【００２８】
図３に示すように、操作ダイヤル装着部２４は、被操作部である操作ダイヤル３１を装着する部分である。操作ダイヤル３１は、縁部に鍔環３２を備えた円板状に形成されており、操作ダイヤル装着部２４にあって、治療器本体２の長手方向を軸心方向とする軸体３３回りに回転自在に支持されている。軸体３３については後に詳述する。
【００２９】
鍔環３２の外周面には、ユーザが手指で操作ダイヤル３１を把持してこれを回転させる際に摩擦抵抗となる滑止用溝３４が形成されている。鍔環３２の内側に、操作ダイヤル３１の厚み方向へ突出する被ガイド片３５が一体的に形成され、操作片装着部２３の外周縁部には、被ガイド片３５が遊嵌する円弧状のガイド溝３６が形成されている。操作片装着部２３の中心部に、可変抵抗器３７が装着される装着穴３８が形成されている。
【００３０】
図５、図６に示すように、軸体３３は、ダイヤル軸３９と、ダイヤル軸３９と一体化された周波数調整軸４０とから構成される。ダイヤル軸３９は、操作ダイヤル３１の裏面の中心位置に突設されるよう形成されている。周波数調整軸４０はダイヤル軸３９と同心であり、周波数調整軸４０は、操作ダイヤル３１に覆われるよう治療器本体２に装着される可変抵抗器３７に備えられる。ダイヤル軸３９と周波数調整軸４０とは、操作ダイヤル３１の中心に形成された中心孔に挿入されるねじ部材Ｓにより一体化されている。可変抵抗器３７は、制御基板６に電気的に接続されている。
【００３１】
図４に示すように、操作ダイヤル３１の表板面には、オフ表示部４５およびスタンバイ表示部４６が、操作ダイヤル３１の回転中心と同心となるよう並べて施されている。オフ表示部４５は、治療器本体２の駆動オフ位置を表示する部分である。スタンバイ表示部４６は、治療器本体２の駆動のオン状態、および駆動のオン状態において、低周波発生部からの低周波電流パルスが未発生でとするスタンバイ位置を表示する部分である。すなわち、スタンバイ表示部４６は、治療器本体２の駆動をオンとする表示を兼用する。
【００３２】
図４に示すように、操作ダイヤル３１の表板面には、低周波電流パルスの程度（強弱）の相違を段階的に表示する、複数の強弱表示部４７が施されている。強弱表示部４７は、前記表板面に、操作ダイヤル３１の回転中心と同心にして、操作ダイヤル３１の周方向に離間して間欠的に配置されている。オフ表示部４５、スタンバイ表示部４６、および強弱表示部４７は、ともに操作ダイヤル３１の回転中心と同心に、周方向に離間して配置されている。なお、操作ダイヤル３１の表板面と操作片装着部２３とは略面一となるよう設定されている。
【００３３】
本実施形態では、強弱表示部４７は、例えば１０箇所に配置されており、各強弱表示部４７の、周方向での離間間隔は等しく設定されている。強弱表示部４７は、スタンバイ表示部４６に近い側から遠い側へ向けて弱から強へ向かう表示部である。すなわち、本実施形態における低周波治療器１は、低周波電流パルスを１０段階の強弱の程度で出力可能に構成されている。スタンバイ表示部４６は、オフ表示部４５の位置と、複数の強弱表示部４７のうちの最も弱い程度の低周波電流パルスが出力される強弱表示部４７との間の位置に配置されている。
【００３４】
以下の説明において、強弱表示部４７は、スタンバイ表示部４６に近い側から遠い側へ向けて順に、第一表示部Ｂ１、第二表示部Ｂ２、第三表示部Ｂ３、第四表示部Ｂ４、第五表示部Ｂ５、第六表示部Ｂ６、第七表示部Ｂ７、第八表示部Ｂ８、第九表示部Ｂ９、第十表示部Ｂ１０と称される。
【００３５】
本実施形態では、スタンバイ表示部４６と第一表示部Ｂ１との間の周方向距離Ｌ１は、第一表示部Ｂ１と第二表示部Ｂ２との間の周方向距離Ｌ２に比べて長く設定されている。これら、オフ表示部４５、スタンバイ表示部４６、および強弱表示部４７は、文字や着色、窪みに形成する等による表示が例示される。なお、本実施形態では、各表示部を便宜上により円形に表現している。しかしながら、オフ表示部４５に「ＯＦＦ」の文字、スタンバイ表示部４６に「ＯＮ」の文字、第一表示部Ｂ１、第二表示部Ｂ２、第三表示部Ｂ３、……、第八表示部Ｂ８、第九表示部Ｂ９、第十表示部Ｂ１０に、それぞれ「１」、「２」、「３」、……、「８」、「９」、「１０」の文字を着色して表すこともできる。この操作ダイヤル３１の外周部は、ユーザの手指で回転操作し易いよう、治療器本体２の外周面と略面一として、軸体３３に支持されている。
【００３６】
図３に示すように、操作ダイヤル３１の裏板面には、複数のディンプル状の係止凹部４８が形成されている。係止凹部４８どうしの間は平面３１ａである。これら係止凹部４８は、強弱表示部４７と同位置に配置されるよう、周方向に間欠的に配置されている。これら係止凹部４８には、軸体３３回りにおける操作ダイヤル３１の回転位置を、周方向で間欠的に位置決めできるよう係止手段４９が係止する。
【００３７】
但し、オフ表示部４５およびスタンバイ表示部４６に相当する操作ダイヤル３１の裏板面には、オフ表示部４５およびスタンバイ表示部４６に至る円弧状の長溝５０が形成されており、係止手段４９は長溝５０にも嵌合可能で、長溝５０の両側端部に周方向で係止可能とされている。係止凹部４８と長溝５０との間も平面３１ａである。
【００３８】
次に、係止手段４９を説明する。図３および図５に示すように、係止手段４９は、コイルばね５１と、コイルばね５１により付勢される係止片５２との組合わせにより構成される。係止片５２は柱状体に形成され、先端が円弧面に形成され、長手方向途中部が拡径されて拡径部５３とされている。
【００３９】
操作ダイヤル装着部２４において、操作ダイヤル３１の係止凹部４８に対応する位置に、係止片５２をその基部で収容する収容凹部５４が形成されている。換言すれば、この収容凹部５４は、操作ダイヤル装着部２４において、操作片装着部２３寄りにあって、しかも外殻体５の厚み方向中心に形成されている。よって、係止片５２は、操作ダイヤル装着部２４において、操作片装着部２３寄りにあって、しかも外殻体５の厚み方向中心に配置されている。駆動ランプ３０は、操作片装着部２３において、操作ダイヤル装着部２４寄りにあって、しかも外殻体５の厚み方向中心に形成されているから、収容凹部５４（係止片５２）と駆動ランプ３０とは、外殻体５の幅方向において対向する位置にある。
【００４０】
そして、コイルばね５１が、収容凹部５４の底面と拡径部５３の拡径面とをばね座として、係止片５２に外嵌されている。これによって、係止片５２の先端が係止凹部４８、あるいは長溝５０に向けて付勢されている。
【００４１】
但し、図５に示すように、係止片５２が係止凹部４８に係止する状態では、係止片５２の先端は、係止凹部４８の底部には至らず、係止凹部４８の深さ方向途中部分において、係止凹部４８の壁面に係止した状態にある。また、係止片５２が長溝５０に係止する状態もまた、係止片５２の先端は、長溝５０の底部には至っていない。
【００４２】
上記構成を備えた低周波治療器１では、施療を行いたい身体部分に、ユーザが電極パッド４を貼り、治療器本体２を把持して、治療器本体２の駆動を操作することで、低周波治療、あるいは温熱治療を行うことができる。以下、治療器本体２の操作方法を説明する。
【００４３】
ユーザが低周波治療を望んで、これを行う場合を説明する。まず、治療器本体２は駆動を停止させている状態では、操作ダイヤル３１のオフ表示部４５が、駆動ランプ３０に対向する位置にあり、駆動ランプ３０は消灯している。操作ダイヤル３１のオフ表示部４５が、駆動ランプ３０に対向する位置にあるとき、係止手段４９の係止片５２は、長溝５０の周方向一方の端面に周方向で係止している。
【００４４】
係止片５２が長溝５０に係止する状態では、係止片５２の先端は、長溝５０の底部には至っていないため、係止片５２はコイルばね５１の弾性により、程よい係止力により長溝５０の壁面に係止しており、操作ダイヤル３１が不測に回転する状態を抑えられている。
【００４５】
この状態から、ユーザがその手指で操作ダイヤル３１を摘まみ、長溝５０と係止片５２の係止力に抗して、操作ダイヤル３１を、軸体３３回りに回転させ（例えば、図４において時計方向に回転）、スタンバイ表示部４６を駆動ランプ３０に対向させた回転位置とする。このとき、被ガイド片３５がガイド溝３６に案内されるようにして、操作ダイヤル３１が軸体３３回りに回転する。
【００４６】
スタンバイ表示部４６が駆動ランプ３０に対向した時点で、制御基板６の制御部は、治療器本体２の駆動をオンとする。治療器本体２の駆動がオンとなる状態は、係止片５２が長溝５０を摺動して、係止片５２が、長溝５０の周方向他方の端面に周方向で係止した状態である。
【００４７】
操作ダイヤル３１を回転させると、これに伴い軸体３３、すなわち可変抵抗器３７の周波調整軸４０が回転することで、制御基板６の低周波発生部による軸体３３の回転量に応じてアナログ調整された低周波電流パルスが出力される。すなわち、治療器本体２が駆動された状態となる。しかしながら、制御基板６の制御部は、スタンバイ表示部４６が駆動ランプ３０に対向した時点では、電極パッド４に低周波電流パルスが出力されないよう制御する。このように、治療器本体２の駆動はオンである一方で、低周波電流パルスが出力されない状態が、スタンバイ状態である。スタンバイ状態では、制御基板６の制御部が駆動ランプ３０に点灯信号を出力する。
【００４８】
次にユーザが、長溝５０と係止片５２の係止力に抗してさらに操作ダイヤル３１を回転させると、係止片５２の先端が、長溝５０と係止凹部４８との間の平面３１ａに接触するよう、係止片５２が収容凹部５４内を移動（後退）する。さらに操作ダイヤル３１が回転させられると、係止片５２が、係止凹部４８のうち、第一表示部Ｂ１に対応する係止凹部４８に向けて突出してこれに係止し、第一表示部Ｂ１が駆動ランプ３０に対向した位置で操作ダイヤル３１が保持される。
【００４９】
すなわち、軸体３３においてはスタンバイ状態からさらに回転していることで、制御基板６の低周波発生部において、軸体３３の回転量に基づき、操作ダイヤル３１における第一表示部Ｂ１での回転位置に相応する程度（強さ）としてアナログ調整された低周波電流パルスが、制御基板６の制御部により電極パッド４に出力させる。
【００５０】
そして、係止片５２が、係止凹部４８のうち、第一表示部Ｂ１に対応する係止凹部４８に係止していることで、低周波電流パルスの程度がぶれることなく一定の程度の低周波電流パルスが保持され、制御部から正確に一定の程度の低周波電流パルスが電極パッド４に出力され続ける。
【００５１】
また、操作ダイヤル３１の係止凹部４８に係止片５２が係止する際、コイルばね５１の弾性により係止片５２が付勢されて係止凹部４８に係止する。このため、ユーザにクリック感が得られる。このクリック感が抵抗となって、ユーザによって操作ダイヤル３１が不測に回転してしまう状態を回避することができ、正確に、必要な強さの低周波電流パルスが得られる。なお、第一表示部Ｂ１が駆動ランプ３０に対向した位置は、操作ダイヤル３１の回転位置のうち、最も弱い程度の低周波電流パルスが出力される回転位置である。
【００５２】
本実施形態における低周波治療器１では、スタンバイ表示部４６と第一表示部Ｂ１との間の周方向距離Ｌ１は、第一表示部Ｂ１と第二表示部Ｂ２との間の周方向距離Ｌ２に比べて長く設定されている。このため、操作ダイヤル３１をスタンバイ位置から回転させて低周波電流パルスが出力される回転位置まで回転させたことが、ユーザ自身にとって、手指の感覚で判断し易い。また、ユーザは、操作ダイヤル３１を回転させて低周波電流パルスの程度を調整する。
【００５３】
このため、例えば低周波治療器１を暗所で使用するような場合であっても、従来品のように表示部をその都度確認しなくても手指の操作で低周波電流パルスの程度を調整することが可能となる。しかも、操作ダイヤル３１は、係止手段４９によって回転位置を保持されるから、過度に強い低周波電流パルスを発生させてしまうことを、抑制できる。
【００５４】
本実施形態における低周波治療器１では、ユーザは所望する程度の低周波電流パルスを、操作ダイヤル３１を回転することで、１０段階で選択できる。最も弱い程度の低周波電流パルスと、最も強い程度の低周波電流パルスの、中間の程度の低周波電流パルスを選択する場合を、ユーザが希望したとする。この場合では、ユーザは操作ダイヤル３１を軸体３３回りに、第五表示部Ｂ５を駆動ランプ３０に対向させる回転量だけ回転させ、第五表示部Ｂ５を駆動ランプ３０に対向させる。操作ダイヤル３１が回転し、軸体３３が操作ダイヤル３１の回転量に応じた回転量だけ回転すると、その分だけ、低周波発生部によりアナログ調整される低周波電流パルスが強くなる。そして制御部は低周波発生部によりアナログ調整された低周波電流パルスを、電極パッド４に出力する。
【００５５】
係止片５２が第五表示部Ｂ５に対応する係止凹部４８に係止していることで、軸体３３の回転量に応じた低周波電流パルスの程度はぶれることなく、一定の程度の低周波電流パルスが保持され、低周波発生部から正確に一定の程度の低周波電流パルスが電極パッド４に出力され続ける。
【００５６】
本実施形態における低周波治療器１では、ユーザが操作ダイヤル３１を軸体３３回りに回転させることで軸体３３を回転させると、その回転量に応じて低周波発生部によりアナログ調整された低周波電流パルスとして、制御部から出力される。これにより、操作ダイヤル３１の回転位置に応じた強さの低周波電流パルスが電極パッド４に出力される。そして、係止手段４９によって、操作ダイヤル３１の回転位置が保持されることで、必要な強さの低周波電流パルスを電極パッド４に正確に出力することができる。
【００５７】
なお、本実施形態における低周波治療器１は、温熱モード操作片２６を押圧して温熱モードスイッチ２１をオンすることで、電極パッド４が備えたヒーター線（図示せず）に通電させ、温熱施療をすることも可能である。また、モード操作片２５を押圧して低周波モード切替スイッチ２０をオンすることで、上記のように正確な低周波電流パルスを出力しつつ、施療モード（いわゆる「押し」「揉み」「叩き」等と称される種類が知られている）を変更することが可能である。さらに、ＵＳＢポート１３を用いて蓄電池１７に充電することが可能であるから、携帯性に優れた低周波治療器１である。
【００５８】
上記各実施形態では、被操作体として操作ダイヤル３１を用いた場合を例示した。しかしながら、被操作体はスライド式の構成を有していてもよく、この場合では、被操作体のスライドによる移動量に基づいて低周波発生部が移動量をアナログ調整するよう構成する。この場合、係止手段はコイルばねと係止片の組合わせ以外の例として、被操作体そのものにスライド方向に間欠的に被係止部を設け、治療器本体側に、被操作体の移動に伴い被係止部に係止する一個の係止部を設けることが考えられる。
【００５９】
上記各実施形態では、スタンバイ表示部４６と第一表示部Ｂ１との間の周方向距離Ｌ１は、第一表示部Ｂ１と第二表示部Ｂ２との間の周方向距離Ｌ２に比べて長く設定された場合を例示した。しかしながら、スタンバイ表示部４６と第一表示部Ｂ１との間の周方向距離Ｌ１は、第一表示部Ｂ１と第二表示部Ｂ２との間の周方向距離Ｌ２に比べて短く設定されていてもよい。この場合でも、操作ダイヤル３１をスタンバイ位置から回転させて低周波電流パルスが出力される回転位置まで回転させたことが、ユーザ自身にとって、手指の感覚で判断し易い。
【００６０】
上記各実施形態では、可変抵抗器３７の回転量に応じてアナログ調整された低周波電流パルスが出力され、制御基板６の制御部によって、電極パッド４への低周波電流パルスの出力が制御されるが、可変抵抗器３７から出力されるアナログ信号をデジタル信号に変換し、前記低周波発生部から出力させる低周波電流パルスの程度を、該デジタル信号に応じた程度とするよう制御してもよい。
【００６１】
このようにすると、可変抵抗器３７の回転量に対して低周波電流パルスの程度の増減や出力の有無を自由に設定できる。例えば、可変抵抗器３７の回転量の範囲を０〜５、低周波電流パルス出力の範囲を０〜３とする場合に、回転量０〜２では出力を０とし、回転量が２〜３では低周波電流パルスの程度を１、回転量が３〜４では低周波電流パルスの程度を２、回転量が４〜５では低周波電流パルスの程度を３と設定したとする。
【００６２】
そうすると、例えば回転量が０〜２の間でスタンバイ状態を実現でき、また、ユーザによる操作ダイヤル３１の回転位置の設定に多少の誤差があったとしても、過度の強さの低周波電流パルスが出力されず、必要な強さの低周波電流パルスを電極パッド４に、正確に出力することができる。さらに、回転量の増加に応じて出力を減少させたり増減させたりすることも容易に実現できる。
【符号の説明】
【００６３】
１…低周波治療器、２…治療器本体、３…パッド本体、４…電極パッド、５…外殻体、６…制御基板、１５…天壁、１７…蓄電池、２０…低周波モード切替スイッチ、２１…温熱モードスイッチ、２２…段付面、２３…操作片装着部、２４…操作ダイヤル装着部、２５…モード操作片、２６…温熱モード操作片、２８…低周波使用ランプ、２９…温熱使用ランプ、３０…駆動ランプ、３１…操作ダイヤル、３１ａ…平面、３３…軸体、３７…可変抵抗器、３９…ダイヤル軸、４０…周波数調整軸、４５…オフ表示部、４６…スタンバイ表示部、４７…強弱表示部、４８…係止凹部、４９…係止手段、５０…長溝、５１…コイルばね、５２…係止片、５４…収容凹部、Ｌ１…周方向距離、Ｌ２…周方向距離、Ｓ…ねじ部材
【図１】
2019080712.tif 000003
【図２】
2019080712.tif 000004
【図３】
2019080712.tif 000005
【図４】
2019080712.tif 000006
【図５】
2019080712.tif 000007
【図６】
2019080712.tif 000008
【図７】
2019080712.tif 000009